(57)【要約】【課題】ＡＶ関連機器の時計アジャスト装置において、正確に時刻補正ができるようにする。【解決手段】時計アジャスト装置２は、ＡＶ関連機器１の停止状態時に、制御部２２からチューナ２１に長波標準電波の周波数情報を出力することにより、アンテナ３を介してチューナ２１で標準電波を受信する。チューナ２１は受信した標準電波からタイムコードを検出して制御部２２に出力する。制御部２２は、検出されたタイムコードから標準時を得て、標準時に基づいて時計２３の時刻を補正する。時計２３は補正された時刻を表示する。ＡＶ関連機器１の停止状態時に、標準電波を受信するようにしたので、電気的なノイズを抑制して安定した標準電波を確実に受信することができ、正確に時刻補正することができる。【選択図】図１
2005091114.tif 000002
【特許請求の範囲】
【請求項１】
時刻を計時する計時手段と、タイムコードを含む標準電波を受信する受信手段と、前記計時手段により計時された時刻を前記標準電波に含まれるタイムコードに基づいて標準時に補正する時刻補正手段とを備えたＡＶ関連機器の時計アジャスト装置において、
ユーザにより設定された前記ＡＶ関連機器の動作開始時刻までの時間をカウントし、前記動作開始時刻になったときに、前記ＡＶ関連機器を動作させるタイマ制御手段と、
前記ＡＶ関連機器の停止状態を検出する停止状態検出手段とを備え、
前記時刻補正手段は、前記停止状態検出手段により前記ＡＶ関連機器の停止状態が検出されている間であって、かつ、時刻が前記動作開始時刻から所定時間以上前である場合には、前記受信手段により前記標準電波を一定周期で受信して時刻を補正し、前記ＡＶ関連機器の停止状態が検出されている間であって、かつ、時刻が前記動作開始時刻から所定時間以内である場合には、継続的に前記標準電波を受信して時刻を補正するものであることを特徴とする時計アジャスト装置。
【請求項２】
時刻を計時する計時手段と、タイムコードを含む標準電波を受信する受信手段と、前記計時手段により計時された時刻を前記標準電波に含まれるタイムコードに基づいて標準時に補正する時刻補正手段とを備えたＡＶ関連機器の時計アジャスト装置において、
前記ＡＶ関連機器の停止状態を検出する停止状態検出手段を備え、
前記時刻補正手段は、前記停止状態検出手段により前記ＡＶ関連機器の停止状態が検出されているときに、前記受信手段により前記標準電波を一定周期で受信して時刻を標準時に補正するものであることを特徴とする時計アジャスト装置。
【請求項３】
前記時刻補正手段により時刻を補正する際に、前記標準電波を一定周期で受信することに代えて、前記標準電波を継続的に受信するようにしたことを特徴とする請求項２に記載の時計アジャスト装置。
【発明の詳細な説明】
【技術分野】
【０００１】
本発明は、ＡＶ関連機器の時計アジャスト装置に関し、特に、標準電波を利用した時計アジャスト装置に関する。
【背景技術】
【０００２】
従来から、ＡＶ関連機器においては時計を備えたものが多数存在するが、この時計がずれていた場合には、ユーザは時刻を誤認してしまうほか、ＶＴＲ等ではタイマ予約録画の際に番組を最初から最後まで録画できなくなる虞れがあった。このため、ＡＶ関連機器の時計の時刻を補正する装置として、例えば、テレビジョン放送の時報情報を利用した時計アジャスト装置が知られている。しかしながら、このような時計アジャスト装置においては、テレビジョン放送を受信して時刻の補正を行うため、ＴＶチューナを備えていない機器においては、この装置は利用できなかった。
【０００３】
一方、近年、アメリカ、ドイツ、イギリス、日本等では、協定世界時（ＵＴＣ）に基づく標準時（ＪＳＴ）に関する情報が、標準電波を利用して送信されており、この標準電波を利用した電波時計が普及してきている。電波時計は、セシウム原子時計をベースにして送信所から発信される標準電波をアンテナで受信し、受信した標準電波のタイムコードを検出し、検出されたタイムコードに基づいて時刻を自動的に補正して表示する。このような電波時計を利用したＡＶ関連機器として、例えば、装置内部に標準電波を受信する機能を備えた電波時計を内蔵し、時計の時刻を自ら修正する機能を設けることにより正確な時計表示を可能とする磁気記録再生装置が知られている（例えば、特許文献１参照）。
【特許文献１】特開平６−２５８４６０号公報
【発明の開示】
【発明が解決しようとする課題】
【０００４】
ところが、特許文献１に記載の発明では、装置が記録又は再生動作中であるか否かに関わらず標準電波を受信して時刻の補正を行うため、装置の動作中には、同装置から発生する電気的なノイズの影響により安定した標準電波を受信することができない虞れがあった。
【０００５】
本発明は、上述した問題点を解決するためになされたものであり、ノイズの影響を抑えて、安定した標準電波を受信し、正確な時刻に補正することができる時計アジャスト装置を提供することを目的とする。
【課題を解決するための手段】
【０００６】
上記目的を達成するために請求項１の発明は、時刻を計時する計時手段と、タイムコードを含む標準電波を受信する受信手段と、前記計時手段により計時された時刻を前記標準電波に含まれるタイムコードに基づいて標準時に補正する時刻補正手段とを備えたＡＶ関連機器の時計アジャスト装置において、ユーザにより設定された前記ＡＶ関連機器の動作開始時刻までの時間をカウントし、前記動作開始時刻になったときに、前記ＡＶ関連機器を動作させるタイマ制御手段と、前記ＡＶ関連機器の停止状態を検出する停止状態検出手段とを備え、前記時刻補正手段は、前記停止状態検出手段により前記ＡＶ関連機器の停止状態が検出されている間であって、かつ、時刻が前記動作開始時刻から所定時間以上前である場合には、前記受信手段により前記標準電波を一定周期で受信して時刻を補正し、前記ＡＶ関連機器の停止状態が検出されている間であって、かつ、時刻が前記動作開始時刻から所定時間以内である場合には、継続的に前記標準電波を受信して時刻を補正するものであることを特徴とする。
【０００７】
この構成においては、ＡＶ関連機器の停止状態時に、標準電波を受信するようにしたので、電気的なノイズを抑制して、安定した標準電波を受信することが可能となる。また、時刻が動作開始時刻から所定時間以上前である場合には、一定の周期で標準電波を受信して効率的に時刻を補正する。また、時刻が動作開始時刻から所定時間以内である場合には、継続的に標準電波を受信して時刻を補正するようにしたので、標準電波を利用して時刻をカウントし、正確な時刻に基づいてタイマ制御することができる。
【０００８】
請求項２の発明は、時刻を計時する計時手段と、タイムコードを含む標準電波を受信する受信手段と、前記計時手段により計時された時刻を前記標準電波に含まれるタイムコードに基づいて標準時に補正する時刻補正手段とを備えたＡＶ関連機器の時計アジャスト装置において、前記ＡＶ関連機器の停止状態を検出する停止状態検出手段を備え、前記時刻補正手段は、前記停止状態検出手段により前記ＡＶ関連機器の停止状態が検出されているときに、前記受信手段により前記標準電波を一定周期で受信して時刻を標準時に補正するものであることを特徴とする。
【０００９】
この構成においては、ＡＶ関連機器の停止状態時に、一定周期で標準電波を受信するようにしたので、電気的なノイズを抑制して、安定した標準電波を効率的に受信することができる。
【００１０】
請求項３の発明は、請求項２に記載の時計アジャスト装置において、前記時刻補正手段により時刻を補正する際に、前記標準電波を一定周期で受信することに代えて、前記標準電波を継続的に受信するようにしたことを特徴とする。
【００１１】
この構成においては、ＡＶ関連機器の停止状態時に、標準電波を継続的に受信して時刻を標準時に補正するようにしたので、標準電波を利用して時刻をカウントすることができる。
【発明の効果】
【００１２】
以上のように請求項１の発明によれば、標準電波を利用して時刻を補正するようにしたので、例えば、テレビジョン放送の時報情報を利用しなくても正確な時刻補正が可能となる。また、ＡＶ関連機器の停止状態時に、標準電波を受信するようにしたので、電気的なノイズを抑制して安定した標準電波を確実に受信して時刻を補正することができる。
【００１３】
また、時刻が動作開始時刻から所定時間以内である場合には、標準電波を利用して時刻をカウントし、正確な時刻に基づいてタイマ制御することができるため、例えば、時刻のずれによるタイマ予約録画等のミスを防止することができる。
【００１４】
請求項２の発明によれば、ＡＶ関連機器の停止状態時に、標準電波を受信するようにしたので、電気的なノイズを抑制し、安定した標準電波を確実に受信して時刻を正確に補正することができる。
【００１５】
請求項３の発明によれば、標準電波を継続的に受信するようにしたので、ＡＶ関連機器自体が高精度な時計を備えていなくても標準時に基づいて正確な時刻をカウントすることができる。
【発明を実施するための最良の形態】
【００１６】
以下、本発明の一実施形態によるＡＶ関連機器の時計アジャスト装置について図面を参照して説明する。図１に示されるように、ＡＶ関連機器（以下、単に機器という）１は、時計アジャスト装置２と、記録部１１と、出力部１２とを備えた機器であり、放送局から配信されるＡＭラジオ放送信号を本機器１に接続されるアンテナ３を介して受信し、ＡＭラジオ放送信号に含まれる音声信号を記録部１１に記録し、また、出力部１２に音声出力するための機器である。記録部１１には、ＭＤ（Ｍｉｎｉ−Ｄｉｓｃ）記録再生装置、ＨＤＤ（Ｈａｒｄ  Ｄｉｓｃ  Ｄｒｉｖｅ）、光ディスク記録再生装置等の各種記憶装置が用いられる。時計アジャスト装置２は、時刻を補正するためのものであり、チューナ２１と、制御部２２と、時計２３と、タイマ回路２４により構成されている。
【００１７】
チューナ２１は、制御部２２の制御のもと、その受信周波数を選局指示されたチャンネルに対応する周波数に同調させることにより、選局指示されたチャンネルのラジオ放送信号をアンテナ３を介して受信する。また、チューナ２１は、機器１の停止状態時、すなわち、機器１がラジオ放送信号を受信しておらず、記録部１１等が動作していない場合には、長波標準電波を受信して、標準電波からタイムコードを検出し、制御部２２に出力する。制御部２２は、チューナ２１から入力されたラジオ放送信号から音声信号を生成し、この音声信号を記録部１１又は出力部１２に出力して記録部１１に記録し、又は出力部１２から音声出力させる。また、制御部２２は、チューナ２１から入力されたタイムコードを解析し、時計２３を補正するための標準時を得る。このように、ラジオ放送信号と標準電波を同じチューナ２１を利用して受信することにより、チューナ２１の設置スペースを削減することができると共に、コストダウンを図ることができる。
【００１８】
時計２３は、不図示の水晶発振子からのクロックパルスをカウントすることにより、現在の時刻をカウントし表示する。タイマ回路２４は、ユーザより予め設定されたタイマ予約録音の動作開始時刻までの時間をカウントし、時計２３の時刻が予約録音の開始時刻になれば記録部１１への音声信号の記録を開始させる。
【００１９】
次に、標準電波に含まれるタイムコードについて、日本の長波標準電波を例として図２を参照して説明する。タイムコードＴは、分、時、通算日、年（西暦下２桁）、曜日、マーカＭ、ポジションマーカＰ０〜Ｐ５、うるう秒情報ＬＳ１，ＬＳ２、パリティＰＡ１，ＰＡ２、予備ビットＳＵ１，ＳＵ２等により構成されており、これらのデータは、１ビット／秒で１分間を１フレームとして送信される。時、分、通算日、年、曜日は、ＢＣＤ（Ｂｉｎａｒｙ  Ｃｏｄｅｄ  Ｄｅｃｉｍａｌ）コードで表されており、例えば、分情報は、４０分”を示すビットＡ１、”２０分”を示すビットＡ２、”１０分”を示すビットＡ３、”８分”を示すビットＡ４、”４分”を示すビットＡ５、”２分”を示すビットＡ６、”１分”を示すビットＡ７で構成される。例えば、１５分を表すためには、ビットＡ３、ビットＡ５、ビットＡ７がそれぞれ”１”となり、他のビットＡ１，Ａ２，Ａ４，Ａ６が”０”となる。
【００２０】
マーカＭは正分（毎分０秒）を表し、ポジションマーカＰ０〜Ｐ５は、それぞれ９秒、１９秒、２９秒、３９秒、４９秒、５９秒の各位置を示している。うるう秒情報ＬＳ１，ＬＳ２は、一ヶ月以内にうるう秒があるか否かを示すものである。パリティＰＡ１，ＰＡ２は時と分に対応して設けられたものであり、データが正しく受信されたか否かを判定するためのものである。予備ビットＳＵ１，ＳＵ２は、例えば、夏時間情報としての意味を持たせる等、将来の拡張性のためのものである。
【００２１】
図２（ｂ）に示されるように、標準電波は３種類のパルスにより構成されている。各パルス幅は、マーカＭ及びポジションマーカＰ０〜Ｐ５については０．２ｓ、データ「０」については０．８ｓ、データ「１」については０．５ｓとなっており、各パルス信号の立ち上がり５５％値が標準時の秒信号に同期している。本実施形態においては、パルスの立ち上がり５５％値で同期を取ることにより、正確な秒情報を取得し、これにより正確な時刻に時計２３を補正する。
【００２２】
次に、時計アジャスト装置２の時刻補正動作について説明する。時計アジャスト装置２は、制御部２２からチューナ２１に長波標準電波の周波数情報を出力することにより、アンテナ３を介してチューナ２１で標準電波を受信する。チューナ２１は受信した標準電波からタイムコードＴを検出して制御部２２に出力する。制御部２２は、検出されたタイムコードＴから標準時を得て、標準時に基づいて時計２３の時刻を補正する。時計２３は補正された時刻を表示する。
【００２３】
次に、機器１のタイマ予約録音の手順について図３を参照して説明する。制御部２２は、機器１の停止状態時において、ユーザにより設定されたタイマ予約録音の動作開始時刻の２分前になったか否かを判断する（Ｓ１）。動作開始時刻の２分前ではないと判断された場合（Ｓ１でＮＯ）、前回の時刻補正から２時間経過したか否かが判断される（Ｓ２）。そして、前回の時刻補正から２時間経過していれば（Ｓ２でＹＥＳ）、標準電波を受信して（Ｓ３）、時刻の補正を行い（Ｓ４）、前回の時刻補正から２時間経過していなければ（Ｓ２でＮＯ）、Ｓ１、Ｓ２のステップを繰り返して判断する。このように動作することにより、動作開始時刻の２分前までは、２時間ごとに標準電波を受信して効率的に時刻の補正が行われる。一方、動作開始時刻から２分前であると判断された場合には（Ｓ１でＹＥＳ）、標準電波を受信し（Ｓ５）、時刻の補正をする（Ｓ６）。そして、時刻が動作開始時刻になっていなければ（Ｓ７でＮＯ）、Ｓ５、Ｓ６を繰り返し、継続的に標準電波を受信して、標準電波を利用して時刻をカウントする。そして、時刻が動作開始時刻になると（Ｓ７でＹＥＳ）、録音動作を開始する（Ｓ８）。
【００２４】
このような構成の発明によれば、標準電波を利用して時刻を補正するようにしたので、テレビジョン放送の時報情報を利用しなくても正確な時刻補正が可能となる。また、ＡＶ関連機器１の停止状態時に、標準電波を受信するようにしたので、電気的なノイズを抑制して、安定した標準電波を確実に受信して正確に時刻を補正することができる。
【００２５】
また、時刻が動作開始時刻から所定時間以内である場合には、標準電波を継続的に受信するようにしたので、ＡＶ関連機器１が高精度な時計を備えていなくても標準時に基づいて正確な時刻をカウントすることができる。また、正確な時刻に基づいてタイマ制御することができるため、時刻のずれによるタイマ予約録音のミスを防止することができる。
【００２６】
なお、本発明は、上記構成に限られることがなく種々の変形が可能である。例えば、本時計アジャスト装置が適用されるＡＶ関連機器は、ＦＭラジオ放送、テレビジョン放送等、他の放送信号を受信可能な機器であってもよく、他のＡＶ関連機器であってもよい。また、標準電波の構成は、上記実施形態に限られず、搬送波は長波以外の電波であってもよい。また、ＡＶ関連機器の停止状態時に標準電波を受信する周期は２時間に限られず、継続的に標準電波の受信を開始する時間は動作開始時刻の２分前でなくてもよい。
【図面の簡単な説明】
【００２７】
【図１】本発明の一実施形態によるＡＶ関連機器の時計アジャスト装置のブロック図。
【図２】（ａ）は標準電波のタイムコードを示す図、（ｂ）は標準電波のパルスを示す図。
【図３】同機器のタイマ予約録音手順を示すフローチャート。
【符号の説明】
【００２８】
１    ＡＶ関連機器
２    時計アジャスト装置
２１    チューナ（受信手段）
２２    制御部（時刻補正手段）
２３    時計（計時手段）
２４    タイマ回路（タイマ制御手段）
Ｔ    タイムコード
【図１】
2005091114.tif 000003
【図２】
2005091114.tif 000004
【図３】
2005091114.tif 000005